(57)【要約】【課題】送風フィン１４がブラシ７ａ，７ｂ，７ｃ及びスリップリング６ａ，６ｂ，６ｃに集中的に冷却風Ｗ１を送風し、ブラシ７ａ，７ｂ，７ｃ及びスリップリング６ａ，６ｂ，６ｃの冷却やブラシ７ａ，７ｂ，７ｃの摩耗粉の除去の効率を向上させる。【解決手段】回転電機１０１は、筐体１と、筐体１に回転可能に支持される回転軸４と、回転軸４とともに回転するように設けられたスリップリング６ａ，６ｂ，６ｃと、スリップリング６ａ，６ｂ，６ｃに接するように設けられたブラシ７ａ，７ｂ，７ｃと、ブラシ７ａ，７ｂ，７ｃを筐体１に固定するブラシホルダ８ａ，８ｂ，８ｃと、回転軸４上に設けられた送風フィン１４と、送風フィン１４の径方向に対向して設けられたファンシュラウド１６とを備える。【選択図】図１
2014033491.tif 000002
【特許請求の範囲】
【請求項１】
筐体と、
前記筐体に回転可能に支持される回転軸と、
前記回転軸とともに回転するように設けられたスリップリングと、
前記スリップリングに接するように設けられたブラシと、
前記ブラシを前記筐体に固定するブラシホルダと、
前記回転軸上に設けられた送風用羽根と、
前記送風用羽根の径方向に対向して設けられた導風部材とを備える回転電機。
【請求項２】
前記導風部材は円筒形状である請求項１に記載の回転電機。
【請求項３】
前記ブラシは複数設けられており、
前記回転軸の長さ方向に沿って複数の前記ブラシを見たときに、前記ブラシの位置が、前記回転軸を中心とした円周方向に沿って互いにずれている請求項１又は２に記載の回転電機。
【発明の詳細な説明】
【技術分野】
【０００１】
この発明は、回転電機に係り、特に、ロータに電力を供給する複数のブラシを備えた回転電機に関する。
【背景技術】
【０００２】
モータ等の回転電機は一般的に、ケーシングに固定されたステータと、ステータに対して相対回転可能なロータと、ロータに電力を供給するブラシとを有している。ブラシは、回転軸の外周に設けられたスリップリングに摺接し、ブラシを介してスリップリングに電力が供給される。ここで、回転電機においてブラシ及びスリップリングを含む部分を給電部分とする。給電部分においては、ブラシとスリップリングとが摩擦することにより、ブラシが削れて摩耗粉が発生し、スリップリングへの給電効率が低下するおそれがある。また、ブラシを介したスリップリングへの給電や、ブラシとスリップリングとの摩擦により、ブラシやスリップリングが発熱する。ブラシやスリップリングを発熱したままにしておくと、機器の耐久性が低下するおそれがある。
【０００３】
上記の問題に鑑みて、特許文献１には、図７に示すように、回転軸１０４の回転時に冷却風Ｗ０をブラシ１０７又はスリップリング１０６の少なくとも一方に送るための送風用羽根１１４を有する回転電機が記載されている。送風用羽根１１４は回転軸１０４上に設けられ、冷却風Ｗ０によってブラシ１０７の摩耗粉を除去し、ブラシ１０７やスリップリング１０６を冷却する。
【先行技術文献】
【特許文献】
【０００４】
【特許文献１】特開２０１１−２０５８１５号公報
【発明の概要】
【発明が解決しようとする課題】
【０００５】
しかしながら、特許文献１の回転電機では、送風用羽根１１４の回転により発生した冷却風Ｗ０の一部はブラシ１０７やスリップリング１０６に直接当たらずに、送風用羽根１１４の径方向に拡散してしまう。そのため、送風用羽根１１４はブラシ１０７及びスリップリング１０６に効率よく送風することができず、ブラシ及びスリップリングの冷却やブラシの摩耗粉の除去の効率が低下する。
【０００６】
この発明はこのような問題を解決するためになされたもので、送風用羽根がブラシ及びスリップリングに集中的に冷却風を送風し、ブラシ及びスリップリングの冷却やブラシの摩耗粉の除去の効率を向上させることができる回転電機を提供することを目的とする。
【課題を解決するための手段】
【０００７】
この発明に係る回転電機は、筐体と、筐体に回転可能に支持される回転軸と、回転軸とともに回転するように設けられたスリップリングと、スリップリングに接するように設けられたブラシと、ブラシを筐体に固定するブラシホルダと、回転軸上に設けられた送風用羽根と、送風用羽根の径方向に対向して設けられた導風部材とを備える。
このように、送風用羽根の周囲に導風部材を設けることによって、冷却風は拡散せずに複数のブラシ及びスリップリングに向かって効率よく送風されることができる。
【０００８】
また、この発明に係る回転電機は、導風部材が円筒形状であってもよい。さらにまた、ブラシは複数設けられており、回転軸の長さ方向に沿って複数のブラシを見たときに、ブラシの位置が、回転軸を中心とした円周方向に沿ってずれていてもよい。
【発明の効果】
【０００９】
この発明によれば、回転電機において、送風用羽根がブラシ及びスリップリングに集中的に冷却風を送風し、ブラシ及びスリップリングの冷却やブラシの摩耗粉の除去の効率を向上させることができる。
【図面の簡単な説明】
【００１０】
【図１】この発明の実施の形態１に係る回転電機の給電部分の様子を模式的に示す断面図である。
【図２】図１に記載の回転電機の給電部分を、回転軸の長さ方向Ｘに沿って見た時の様子を模式的に示す図である。
【図３】図１に記載の回転電機の給電部分をＩ−Ｉに沿って切った断面の様子を模式的に示す図である。
【図４】この発明の実施の形態２に係る回転電機の給電部分の様子を模式的に示す断面図である。
【図５】図４に記載の回転電機の給電部分を、回転軸の長さ方向に沿って見た時の様子を模式的に示す図である。
【図６】図４に記載の回転電機の給電部分をＩ’−Ｉ’に沿って切った断面の様子を模式的に示す図である。
【図７】従来の回転電機の給電部分の様子を模式的に示す側面図である。
【発明を実施するための形態】
【００１１】
以下、この発明の実施の形態を添付図面に基づいて説明する。
実施の形態１．
図１に、この発明の実施の形態１に係る回転電機１０１における給電部分の断面図を示す。この給電部分は、回転電機１０１のモータ（図示せず）に電気的に接続する。モータは、ロータ（図示せず）とステータ（図示せず）とを有し、回転電機１０１は、ロータ及びステータを収納する筐体１を備える。そして、ステータは筐体１に固定され、モータはステータに対して相対回転可能となるように、筐体１に回転可能に支持された回転軸４に一体に取り付けられている。
【００１２】
回転電機１０１において、回転軸４は筐体１に回転可能に支持されるとともに、給電部分に突出している。回転軸４は、回転電機１０１のエンジン（図示せず）及び前述のロータに連結され、円周方向Ａに向かって回転する。また、筐体１の給電部分側の外側には、略Ｌ字形状の板状の支持部１ａが一体に形成されている。すなわち、支持部１ａは筐体１の一部を構成する。ここで、支持部１ａの略Ｌ字形状の内側において、回転軸４の外周は樹脂で形成された絶縁体１５によって被覆されている。絶縁体１５は回転軸４とともに一体回転可能となるように取り付けられている。さらに、絶縁体１５の外周には３つの環状のスリップリング６ａ，６ｂ，６ｃが等間隔に配置され、回転軸４と一体回転可能となるように固定される。そして、支持部１ａの内側には、スリップリング６ａ，６ｂ，６ｃにそれぞれ対応する位置にブラシ７ａ，７ｂ，７ｃが設けられる。ブラシ７ａ，７ｂ，７ｃはそれぞれスリップリング６ａ，６ｂ，６ｃと摺接する。また、ブラシ７ａ，７ｂ，７ｃはそれぞれブラシホルダ８ａ，８ｂ，８ｃを介して、支持部１ａの内側に回転不能に固定されている。ブラシホルダ８ａ，８ｂ，８ｃはそれぞれ長方形から半円を切り取った形状の板状部材である（図２参照）。また、ブラシホルダ８ａ，８ｂ，８ｃとスリップリング６ａ，６ｂ，６ｃとの間には、それぞれ隙間１１ａ，１１ｂ，１１ｃが形成される。なお、ブラシ７ａ，７ｂ，７ｃは銅又はカーボンにより形成され、スリップリング６ａ，６ｂ，６ｃは砲金、真鍮、ステンレス鋼又は銅により形成される。
【００１３】
また、図１及び２に示すように、回転軸４において、モータ側とは反対に位置する端部には、３枚のバスバー１２が取り付けられている。バスバー１２は、回転軸４の外周面に倣って湾曲した銅板である。バスバー１２の一部は回転軸４と絶縁体１５の間に挟みこまれてスリップリング６ａ，６ｂ，６ｃと電気的に接続し、残りの一部は絶縁体１５から露出し、絶縁体１５から露出した部分は送風フィン取付部１２ａを構成する。送風フィン取付部１２ａには、それぞれ２枚の略台形形状の板状の送風フィン１４が固定して取り付けられる。すなわち、回転軸４の外周にはバスバー１２を介して、合計６枚の送風フィン１４が回転軸４に対して一体回転可能に固定されている。送風フィン１４は、回転軸４の長さ方向、すなわち方向Ｘに対して傾斜する角度で配置される。送風フィン１４は、バスバー１２と同じ素材、すなわち銅により形成されるが、これに限らず、バスバー１２よりも熱伝導性の高い材料を使用しても良い。
また、バスバー１２はそれぞれ、モータ側のロータ（図示せず）と電気的に接続する電気的配線１３と接続している。
なお、送風フィン１４は、送風用羽根を構成する。
【００１４】
バスバー１２に取り付けられた６枚の送風フィン１４の周囲は、円筒形状のファンシュラウド１６によって囲まれる。すなわち、ファンシュラウド１６は、送風フィン１４の径方向に対向して設けられている。ここで、ファンシュラウド１６の方向Ｘにおける長さは、送風フィン１４全体を覆うことができる程度の長さになるように構成される。また、ファンシュラウド１６は、支持部１ａの端部に回転不能に固定して取り付けられている。さらに、ファンシュラウド１６は、絶縁体１５と同じ素材、すなわち適当な樹脂材料によって形成されている。なお、ファンシュラウド１６は、導風部材を構成する。
【００１５】
また、図３を参照して、ブラシ７ａ，７ｂ，７ｃの配置について詳細に説明する。
ブラシ７ａはブラシホルダ８ａの中央に取り付けられている。すなわち、回転軸４から見て真上の位置において、スリップリング６ａと摺接するように構成されている。また、ブラシ７ｂはブラシホルダ８ｂにおいて、中央よりも円周方向Ａと反対向きに約４０度ずれた位置に取り付けられる。さらに、ブラシ７ｃはブラシホルダ８ｃにおいて、中央よりも円周方向Ａに向かって約４０度ずれた位置に取り付けられる。すなわち、ブラシ７ａ，７ｂ，７ｃは、方向Ｘに沿ってブラシ７ａ，７ｂ，７ｃを見たときに、ブラシ７ａ，７ｂ，７ｃの位置が、円周方向Ａに沿って互いにずれるように配置されている。
【００１６】
次に、この発明の実施の形態１に係る回転電機１０１の動作を説明する。
図示しない電源から供給された電力がブラシ７ａ，７ｂ，７ｃを介してスリップリング６ａ，６ｂ，６ｃに給電されることにより、回転軸４が円周方向Ａに向かって回転する。スリップリング６ａ，６ｂ，６ｃのそれぞれは、ブラシ７ａ，７ｂ，７ｃと擦れ合う。ここで、ブラシ７ａ，７ｂ，７ｃはスリップリング６ａ，６ｂ，６ｃよりも軟らかいため、ブラシ７ａ，７ｂ，７ｃが削れ、摩耗粉が発生する。また、ブラシ７ａ，７ｂ，７ｃとスリップリング６ａ，６ｂ，６ｃとの摩擦や、電源からブラシ７ａ，７ｂ，７ｃへの給電により、ブラシ７ａ，７ｂ，７ｃは発熱する。一方、回転軸４とともに円周方向Ａに向かって回転している送風フィン１４によって、冷却風Ｗ１が発生する。冷却風Ｗ１の一部は、支持部１ａの内側のブラシ７ａ，７ｂ，７ｃ及びスリップリング６ａ，６ｂ，６ｃに向かって直接吹き付ける。一方、冷却風Ｗ１の残りの一部は送風フィン１４の径方向に向かって拡散するように吹き出す。しかしながら、このように送風フィン１４の径方向に吹き出した冷却風Ｗ１は、即座に送風フィン１４の周りのファンシュラウド１６にぶつかり、流路を変更して、支持部１ａの内側に向かって吹き付けるようになる。
【００１７】
支持部１ａの内側に吹き付ける冷却風Ｗ１は回転軸４に沿って流通する。まず、冷却風Ｗ１は、ブラシ７ａ及びスリップリング６ａに吹き付ける。そして、冷却風Ｗ１はブラシ７ａ及びスリップリング６ａを冷却すると共に、ブラシ７ａとスリップリング６ａとの摺動面に発生した摩耗粉を吹き飛ばして除去する。次に、冷却風Ｗ１は隙間１１ａを通過した後、ブラシ７ｂ及びスリップリング６ｂに吹きつけ、ブラシ７ａ及びスリップリング６ａにしたものと同じ作用を行う。またさらに、冷却風Ｗ１は隙間１１ｂを通過した後、ブラシ７ｃ及びスリップリング６ｃに吹きつけ、ブラシ７ａ，７ｂ及びスリップリング６ａ，６ｂにしたものと同じ作用を行う。
【００１８】
以上より、送風フィン１４の周りにファンシュラウド１６を設置することにより、ブラシ７ａ，７ｂ，７ｃ及びスリップリング６ａ，６ｂ，６ｃに集中的に冷却風を送ることができる。よって、ブラシ７ａ，７ｂ，７ｃとスリップリング６ａ，６ｂ，６ｃとの摺動面に発生する摩耗粉の除去やブラシ７ａ，７ｂ，７ｃ及びスリップリング６ａ，６ｂ，６ｃの冷却をより効率的に行うことができる。
【００１９】
また、ブラシ７ａ，７ｂ，７ｃの位置が、円周方向Ａに沿ってずれていることにより、ブラシ７ａ，７ｂ，７ｃにはそれぞれ送風フィン１４から送られる冷却風Ｗ１が、上流側のブラシに遮られずに直接当たるようになる。すなわち、ブラシ７ａ，７ｂ，７ｃにはおおよそ同じ温度の空気が当たるようになる。そのため、ブラシ７ａ，７ｂ，７ｃ全体の冷却効率が上がるとともに、ブラシ７ａ，７ｂ，７ｃのそれぞれについて冷却効率にバラツキが生じるのを抑えることができる。
さらにまた、バスバー１２に送風フィン１４を取り付けることにより、スリップリング６ａ，６ｂ，６ｃに発生した熱がバスバー１２を介して送風フィン１４に伝わり、送風フィン１４から放熱される。そのため、スリップリング６ａ，６ｂ，６ｃの冷却をより効率よく行うことができる。
【００２０】
実施の形態２．
次に、この発明の実施の形態２に係る回転電機１０２について、図４〜６を参照して説明する。なお、実施の形態２において、図１〜３の参照符号と同一の符号は、同一又は同様な構成要素であるので、その詳細な説明は省略する。
図４に、この発明の実施の形態２に係る回転電機１０２において給電部分の断面図を示す。この回転電機１０２は、モータ（図示せず）を収納する筐体１’を有し、筐体１’には回転軸４が回転可能に支持されている。また、筐体１’の外側には給電部分全体を覆うように配置された、略円筒形状の給電側ケーシング１ｂが一体に形成されている。すなわち、給電側ケーシング１ｂは筐体１’に一部を構成している。また、給電側ケーシング１ｂのモータ側とは反対の端面には円形の開口部２ａが形成され、回転軸４は開口部２ａを通って給電側ケーシング１ｂの外部に突出する。また、給電側ケーシング１ｂの内部において、回転軸４は絶縁体１５’によって被覆される。そして、絶縁体１５’は、回転軸４のうち、給電側ケーシング１ｂの外部に突出した部分も被覆しており、絶縁体１５’のうち給電側ケーシング１ｂの外部に突出している部分は送風フィン取付部１５ａ’を構成する。
【００２１】
給電側ケーシング１ｂのモータ側外部には、バスバー１２’が回転軸４に一体回転可能に取り付けられている。また、給電側ケーシング１ｂの内部において、絶縁体１５’の外周にスリップリング６ａ，６ｂ，６ｃが回転軸４に対して一体回転可能に取り付けられている。さらに、スリップリング６ａ，６ｂ，６ｃのそれぞれ対応する位置には、ブラシ７ａ’，７ｂ’，７ｃ’が、略円環状のブラシホルダ８ａ’，８ｂ’，８ｃ’を介して給電側ケーシング１ｂの内側に固定して取り付けられる。
【００２２】
ブラシ７ａ’，７ｂ’，７ｃ’は、それぞれブラシホルダ８ａ’，８ｂ’，８ｃ’に３枚ずつ取り付けられている。すなわち、ブラシホルダ８ａ’には３枚のブラシ７ａ’が固定され、ブラシホルダ８ｂ’には３枚のブラシ７ｂ’が固定され、ブラシホルダ８ｃ’には３枚のブラシ７ｃ’が固定される。そして、スリップリング６ａには３枚のブラシ７ａ’が、スリップリング６ｂには３枚のブラシ７ｂ’が、スリップリング６ｃには３枚のブラシ７ｃ’がそれぞれ摺接する（図６参照）。さらに、ブラシホルダ８ａ’，８ｂ’，８ｃ’とスリップリング６ａ，６ｂ，６ｃとの間には隙間１１ａ’，１１ｂ’，１１ｃ’が形成される。
なお、実施の形態１と同様に、絶縁体１５’は樹脂によって形成され、ブラシ７ａ’，７ｂ’，７ｃ’は銅又はカーボンにより形成される。
【００２３】
次に、図４及び５を参照して、送風フィン１４’及びファンシュラウド１６の周りにおける給電側ケーシング１ｂの形状について説明する。
絶縁体１５’の送風フィン取付部１５ａ’の外周には６枚の送風フィン１４’が等間隔に配置されて取り付けられる。送風フィン１４’は、方向Ｘに対して傾斜する角度で配置されている。送風フィン１４’は絶縁体１５’と同一の樹脂によって形成される。そして、送風フィン１４’の周囲は、送風フィン１４’の径方向に対向して設けられたファンシュラウド１６によって囲まれる。また、ファンシュラウド１６は、給電側ケーシング１ｂの開口部２ａに嵌合するように、給電側ケーシング１ｂに回転不能に固定して取り付けられている。また、給電側ケーシング１ｂにおいて開口部２ａの周りには、３つの略楕円形状の通風孔１８が円周方向Ａに沿って等間隔に穿設されている。通風孔１８のうち一つは、回転軸４の真上に位置するように形成され、他の２つは、回転軸４を中心に通風孔１８それぞれが互いに約１２０度ずつ間隔を置いて配置されるように形成されている。
なお、送風フィン１４’は、送風用羽根を構成する。
【００２４】
また、図６を参照して、ブラシホルダ８ａ’，８ｂ’，８ｃ’の形状及びブラシ７ａ’，７ｂ’，７ｃ’の配置について詳細に説明する。
ブラシホルダ８ａ’は略円環状の板材である。ブラシホルダ８ａ’の外周部分には約１２０度ずつ間隔を置いて切り欠き１９ａが形成されている。また、ブラシホルダ８ｂ’，８ｃ’についても同様に切り欠き１９ｂ，１９ｃが形成されている。ブラシホルダ８ａ’，８ｂ’，８ｃ’は、回転軸４の方向から見て、給電側ケーシング１ｂの通風孔１８及び切り欠き１９ａ，１９ｂ，１９ｃの位置が互いに重なり合って見えるように配置された上で、給電側ケーシング１ｂの内周面に取り付けられる。
【００２５】
ブラシホルダ８ａ’には回転軸４に向かって３枚のブラシ７ａ’がそれぞれ、切欠き１９ａのすぐ内側に取り付けられている。また同様に、ブラシホルダ８ｂ’にも回転軸４に向かって３枚のブラシ７ｂ’が取り付けられているが、ブラシ７ｂ’の各々がブラシ７ａ’の位置に対して円周方向Ａに約４０度ずれるように配置されている。さらにまた、ブラシホルダ８ｃ’にも回転軸４に向かって３枚のブラシ７ｃ’が取り付けられているが、ブラシ７ｃ’の各々がブラシ７ｂ’の位置に対して円周方向Ａに約４０度ずれるように配置されている。すなわち、方向Ｘに沿ってブラシ７ａ’，７ｂ’，７ｃ’を見ると、ブラシ７ａ’，７ｂ’，７ｃ’がそれぞれ重なり合わずに見えるように配置されている。
【００２６】
次に、この発明の実施の形態２に係る回転電機１０２の動作を説明する。
回転電機１０１と同様に、回転電機１０２においても、ブラシ７ａ’，７ｂ’，７ｃ’の摩耗粉の除去やブラシ７ａ’，７ｂ’，７ｃ’及びスリップリング６ａ，６ｂ，６ｃの冷却の必要が生じる。そこで、回転軸４とともに回転する送風フィン１４’が発生させる冷却風Ｗ２が、給電側ケーシング１ｂの内部のブラシ７ａ’，７ｂ’，７ｃ’及びスリップリング６ａ，６ｂ，６ｃに向かって吹き付ける。また、一部の冷却風Ｗ２は、送風フィン１４の径方向に拡散するように吹き出すが、即座に送風フィン１４’の周りのファンシュラウド１６にぶつかり、流路を変更して、給電側ケーシング１ｂの内部に吹き付けるようになる。
【００２７】
給電側ケーシング１ｂの内部に吹き付ける冷却風Ｗ２は回転軸４に沿って流通し、まず、ブラシ７ａ’及びスリップリング６ａに吹き付ける。そして、冷却風Ｗ２はブラシ７ａ’及びスリップリング６ａを冷却すると共に、ブラシ７ａ’とスリップリング６ａとの摺動面に発生した摩耗粉を吹き飛ばして除去する。次に、冷却風Ｗ２は隙間１１ａ’を通過し、ブラシ７ｂ’及びスリップリング６ｂに吹きつけ、ブラシ７ａ’及びスリップリング６ａにしたものと同じ作用を行う。またさらに、冷却風Ｗ２は、隙間１１ｂ’を通過し、ブラシ７ｃ’及びスリップリング６ｃに吹きつけ、ブラシ７ａ’，７ｂ’及びスリップリング６ａ，６ｂにしたものと同じ作用を行う。また、ブラシ７ａ’，７ｂ’，７ｃ’及びスリップリング６ａ，６ｂ，６ｃを冷却し終わった冷却風Ｗ２は、給電側ケーシング１ｂの壁にぶつかって外側に流路を変更し、ブラシホルダ８ａ’，８ｂ’，８ｃ’の切り欠き１９ａ，１９ｂ，１９ｃを順次流通する。そして、切り欠き１９ａ，１９ｂ，１９ｃを流通した冷却風Ｗ２は、通風孔１８から給電側ケーシング１ｂの外部に吹き出る。
【００２８】
以上のように、送風フィン１４’の周囲をファンシュラウド１６で囲むことによって、実施の形態１と同様に、ブラシ７ａ’，７ｂ’，７ｃ’及びスリップリング６ａ，６ｂ，６ｃに集中的に送風することができる。そのため、回転電機１０２において、ブラシ７ａ’，７ｂ’，７ｃ’とスリップリング６ａ，６ｂ，６ｃとの摺動面に発生する摩耗分除去やブラシ７ａ’，７ｂ’，７ｃ’及びスリップリング６ａ，６ｂ，６ｃの冷却をより効率的に行うことができる。
【００２９】
また、方向Ｘに沿ってブラシ７ａ’，７ｂ’，７ｃ’を見たときに、ブラシ７ａ’，７ｂ’，７ｃ’の位置が、円周方向Ａに沿ってずれている。そのため、ブラシ７ａ’，７ｂ’，７ｃ’が各々複数ある場合でも、それぞれ送風フィン１４’から送られる冷却風が、上流側のブラシに遮られずに直接ブラシ７ａ’，７ｂ’，７ｃ’やスリップリング６ａ，６ｂ，６ｃに当たるようになる。従って、送風フィン１４’による摩耗粉除去及び冷却の効率にバラツキが生じるのを防止することができ、全体としての摩耗分除去及び冷却の効率が上がる。
【００３０】
また、給電側ケーシング１ｂに通風孔１８が、ブラシホルダ８ａ’，８ｂ’，８ｃ’に切り欠き１９ａ，１９ｂ，１９ｃが設けられ、通風孔１８及び切り欠き１９ａ，１９ｂ，１９ｃはＸ方向から見て互いに重なり合うように配置されている。そのため、ブラシ７ａ’，７ｂ’，７ｃ’及びスリップリング６ａ，６ｂ，６ｃ全体を給電側ケーシング１ｂが覆っている場合でも、空気の流れは円滑になり、摩耗粉除去や冷却の効率が上がる。
【００３１】
なお、実施の形態１及び２において、ブラシ７ａ，７ｂ，７ｃ又はブラシ７ａ’，７ｂ’，７ｃ’は銅又はカーボンにより形成され、スリップリング６ａ，６ｂ，６ｃは砲金、真鍮、ステンレス鋼又は銅により形成されるが、これに限定されない。
また、バスバー１２又は１２’は銅板により形成されるが、熱伝導性が良い材料であれば、これに限定されない。
さらにまた、ブラシ７ａ，７ｂ，７ｃの配置又はブラシ７ａ’，７ｂ’，７ｃ’の配置について、各々のブラシの位置のずれは、実施の形態１又は２に限定されず、冷却風が適度に当たる程度の配置であればよい。
【符号の説明】
【００３２】
１０１，１０２  回転電機、１，１’  筐体、１ａ  筐体（支持部）、１ｂ  筐体（給電側ケーシング）、４  回転軸、６ａ，６ｂ，６ｃ  スリップリング、７ａ，７ｂ，７ｃ，７ａ’，７ｂ’，７ｃ’  ブラシ、８ａ，８ｂ，８ｃ，８ａ’，８ｂ’，８ｃ’  ブラシホルダ、１４，１４’  送風フィン（送風用羽根）、１６  ファンシュラウド（導風部材）。
【図１】
2014033491.tif 000003
【図２】
2014033491.tif 000004
【図３】
2014033491.tif 000005
【図４】
2014033491.tif 000006
【図５】
2014033491.tif 000007
【図６】
2014033491.tif 000008
【図７】
2014033491.tif 000009